(57)【要約】【課題】    本発明は、従来の未包装ねじ切り開け付き容器の構造では、ねじ切られた後二分されたキャップを容器に閉め戻した場合に、未開封状態の様に外見から見えてしまう事を防ぎ、ねじ切られ残った輪形状部と閉め戻したキャップの部分との間隔が、輪形状部一つ半位開き一度でも開封したキャップを、二度と未開封と見せ掛ける事を防ぎ危険回避。【解決手段】    本発明は、未包装ねじ切り開けキャップ付き容器の未開封開封の区別を、容器３の、キャップ１、２、の状態を見ても触れても区別でき、キャップ本体の接続してある個所２ｂを、一度ねじ切って開けるとキャップが分離され、取り外せる部分１、と容器に残る輪形状の部分２に、二分される事を利用しあらかじめ容器に設けてある輪形状部を受け止める縁３ａを、従来の容器設置位置より輪の高さ一つ半位下方に下げてあるため分離した輪形状２の、間にキャップ１を閉め戻しても、輪一つ半位間隔３ｂが開き二度と未開封状態の様に見せず安全。【選択図】    図１
2007039123.tif 000002
【特許請求の範囲】
【請求項１】
本発明は、未包装状態のねじ切り開けキャップ付き容器の、安全を確保するための仕組み及び構造に関するものであり、分離と同時に容器本体に設けてある、ねじ切られ残った輪形状部を受け止める縁を、未開封状態で一体化している時の、キャップの下限部から計り二分された時に容器に残される、輪形状部の高さ一つ半位の長さ下方に設置した容器の形状で、且つ容器本体を傾けても逆さまの状態でも脱落しない様に、容器本体のねじ状部直下に設けた、脱落防止様の縁を設けた容器本体の形状で、未開封状態のキャップ本体がねじ切られ二分された瞬間に、容器本体側のキャップの輪形状部を受け止める縁に落下させ、取り外したキャップ部分を閉め戻しても、容器側に残された輪形状部分との間に、輪形状部一つ半位の長さの間隔ができ形状を明確に変化させてしまい、紛らわしく見間違う事を払拭した構造であり、未開封時のキャップが接続されていて、一体化しているかのような形状に二度とならずに、一度でもねじ切り開けられたキャップが閉め戻されても、見逃す事を防ぎ見せ掛ける事も困難にしてしまう事で、一度開封された未包装容器か否かキャップの個所を、見るだけでも触れても確認でき、不審な容器を排除し回収を可能にして、未然に危険を回避できる事を特徴する、未開封開封容器判別ねじ切り開けキャップ。
【発明の詳細な説明】
【技術分野】
【０００１】  本発明は、従来の未包装ねじ切り開けキャップ付き容器が、未開封か開封された容器かが、未包装状態にもかかわらず一度でも開けられ閉め戻されても、形状が僅かしか変化しないため判別しにくく、紛らわしくて危険である構造が課題であり、本発明はその課題を解決した構造で、仕組みは容器のキャップが一度でも開け閉め戻されても、明確な間隔が開くため形状が変化してしまい、二度と未開封キャップのように見せない構造であるため、未開封開封容器判別ねじ切り開けキャップが、未然に危険を回避し安全に貢献することに関するものである。
【背景技術】
【０００２】  従来の未包装ねじ切り開けキャップ付き容器は、未開封か開封された容器かの判別を簡単に見て区別しにくく、キャップが開けられた時に、キャップの形状に明確な変化がなく、あるとすれば僅かに開くキャップの合わさり部分の隙間と、容器側の輪形状に触れて動く事を確認するだけか、または別の仕組みでキャップ接続部の形状を変化させ、隙間を作り出す容器があるが、キャップの切断面に危険な形状ができ問題もあり、未開封か開封か明確でしかも安全に見て判別する手段がなく、未包装容器の安全確保に関し課題が存在する。
【発明の開示】
【発明が解決しようとする課題】
【０００３】  未包装ねじ切り開けキャップ付き容器の安全度を上げるため、一例としてキャップを取り外した後に変形し危険な形状が現れる構造で、キャップ間に隙間を作りだしたキャップがあり、開封された事を知らせる効果が僅かで課題がある構造であり、別な解決策として新たにキャップに透明樹脂等でカバーする事は考えられるが、環境問題や費用がかかり実用化が難しい、まして容器全体を透明樹脂等でカバーする事は、さらに考えにくく無理な対策であり、本発明は仕組を工夫変更するだけで、未開封か開封された容器かキャップ形状の、明確な変化で簡単に見て確認でき、前述の欠点を解決して未包装状態のまま製造販売購入される、ねじ切り開けキャップ付き容器の安全に貢献し未然に危険を回避する。
【課題を解決するための手段】
【０００４】  本発明の仕組は、未包装ねじ切り開けキャップ付き容器の、未開封容器キャップ本体の接続してある個所を、一度ねじ切って開けるとキャップが分離され、取り外せる部分と容器に残る輪形状の部分に二分される事を利用し、分離と同時に容器本体に設けた従来の位置より、輪形状部の高さ一つ半位の長さ余分に下げた間隔の位置に、輪形状の部分を瞬時に落下させ、受けとめ用の容器の縁で止まらせて、しかも容器を傾けても容器側のねじ状部分直下の個所に設けた脱落防止の縁で、容器に残されたキャップの輪形状部分の、輪形状の口径より小さくなるように作った輪形の部分が、容器側に設けてある脱落防止の縁で止まるのに役立ち，落下せずにすむ仕組であり、取り外したキャップの部分を、容器本体に閉め戻してもキャップからねじ切られて、容器に残された輪形状の部分が、未開封状態の位置と開封された後の輪形状部分の位置が、輪形状部の高さ一つ半位の長さ下に位置してあり、間隔ができるため開封前の一体化したキャップの様にならず、二度と未開封容器みたいに見せ掛ける事は困難で見て判別でき、未開封か開封容器か区別が可能で、一度でも開け閉めされた危険な容器を排除回収する事で、未包装状態容器の安全確保に貢献する。
【発明の効果】
【０００５】  上述の様に、本発明の未開封開封容器判別ねじ切り開けキャップが、一度キャップをねじ切られ開封された時は、キャップが二分される事を利用し、外れたキャップ部分と容器に残された輪形状部分になり、キャップをねじ切ると瞬間的に、容器に残された輪形状部分が輪一つ半分位落下するため、取り外したキャップの部分を容器に閉め戻しても、輪形状の高さ一つ半分位間隔があくために、二度と元の様に見せ掛ける事は困難で、あやまちや故意にあけられた容器も一度開けたら、未開封容器の様に見えないため安全であり、そのために本発明キャップは従来のねじ切り開けキャップが、開封時に開封音と力加減で判断する事他に、容器側に残された輪形状部が手で触れて確認できる事や、分離し合わされた時の僅かの隙間等で、見て明確に確認しにくく故意に開ける行為におよんだ場合に、きつく閉め戻すと未開封状態の様に外見から見えてしまう、その事を本発明はキャップをきつく閉めても、輪形状部の高さ一つ半位間隔が開き二度と未開封状態の様にならず、未然に危険を回避する事が可能であり、故意に開封された未包装容器を製造出荷販売購入に係る各関係者が、見ても触っても判別でき排除し回収してしまう事で、安全確保に役立つ。
【発明を実施するための最良の形態】
【０００６】  本発明は、未包装ねじ切り開けキャップの構造に着目し、開封時に二つに分割されるを利用し、容器側のねじ切られ残りの輪形状の部分を、容器に設けてある輪形状の部分を受け止める縁の部分を、輪形状部の高さ一つ半位の長さ位置を下げ、輪形状の部分の位置を、下にずらす事により可能になった仕組であり、取り外したキャップの部分を容器に閉め戻しても、輪形状の高さ一つ半位の間隔が容器に残った輪形状部との間にできるため、キャップが明確に変化してしまい、一度開封したら二度と元のような未開封容器のように、見せ掛ける事を困難にして、未然に不審な容器を排除し回収し未包装容器の安全を確保する。
【実施例】
【０００７】  以下、添付図面にしたがって一実施例を説明する。１、２、はねじ切り開けキャップ本体で環境に配慮した合成樹脂等素材でできてあり、容器本体３も環境に配慮した合成樹脂等素材を使用したもので、本発明は、キャップ本体１、２、を容器本体３を製造段階で取り付けた状態、つまり未開封状態から開封した時に変化する事を利用し、開封したら二度と元のように、見せ掛ける事を困難にして、安全に役立つための発明であり、その仕組は容器本体３に従来のキャップのねじ切られた輪形状部分２、が収まる位置より輪形状の高さ一つ半位余分に、下に下げた容器にずらして設けた、輪形状部２を受け止める縁３ａが重要で、キャップ本体１、２、をねじ切った状態で二分され１の取り外せる部分と、容器側３に残る輪形状部分２が、容器の縁３ａの部分に落下させ、取り外したキャップ１を容器に閉め戻しても、２の輪形状部一つ半位の間隔３ｂができるため、あきらかに一度開封した状態の容器を未開封容器と見間違えなく、又キャップ１、を取り外して容器を傾けて、容器に残された輪形状部２が、移動しても容器本体３に設けてある縁３ｃで、止まるようにできてあり、且つ輪形部側２の内側下の部に一回り小さい輪状部２ａがあるため、落ちる事がなく縦に戻せば、容器３ｄの位置に輪形状部２が戻るようになる仕組であり、見ても触れても明確に判別でき、未包装のまま製造出荷され販売購入される容器の安全を確保する。
【産業上の利用可能性】
【０００８】  本発明の未包装ねじ切り開けキャップ付き容器は、未開封と開封容器のキャップの形が大きく変形してしまう構造で、一度開けると二度とキャップを閉め戻しても分離したキャップが合わさる事が無く、開封時に切り残される輪形状部の高さ一つ半分位の間隔ができるため、目で確認でき又目が不自由な人にも形状の違いから、キャップ部分に触れるだけで、未開封開封容器が判別できて、故意に一度キャップを開けられて、閉め戻されても未開封容器のように見せ掛ける事は無理であり、従来の未包装ねじ切り開けキャップ付き容器は、故意に開封されても閉め戻されれば未開封容器の状態に見え、実際にキャップをあける段階になって始めて気がつく変化事であり、本発明容器との大きな違いであり未包装状態の容器の安全を、ねじ切り開けキャップ付き容器を製造販売購入する各段階で、キャップが一度でも開封されたか状態か否か明確に判別でき、未然に不審な容器を排除し回収でき、安全を確保する事に貢献する、未開封開封容器判別ねじ切り開けキャップである。
【図面の簡単な説明】
【０００９】
【図１】ねじ切り開けキャップを一度開けて、容器側に閉め戻した状態を示す、一部容器部分が切欠したキャップ付き容器の正面図である。
【図２】未開封状態のねじ切り開けキャップ付き容器の、容器部分が一部切欠した正面図である。
【図３】キャップをねじ切り開けしニ分し、分離したキャップを取り外し、且つ容器の部分にねじ切られた残りの輪形状部分が、新たに下げた位置に設けた容器の縁で受け止められた状態を示す、容器が一部切欠した正面図である。
【図４】キャップをねじ切り開けし二分し、分離されて容器に残される輪形状の部分を容器から外して、真上からみた状態を示す図面である。
【符号の説明】
【００１０】  １    ねじ切り開けキャップをねじ切って二分し取り外せたキャップ側の部分
１ａ  キャップが取り外せる部分の内側にあるねじ溝の部分
２    ねじ切り開けキャップをねじ切って二分し容器側に残された輪形状部分
２ａ  ねじ切り開けキャップをねじ切って二分し容器側に残された輪形状部分の、内側下部に一回り小さい輪状の部分を作った個所を示した部分
２ｂ  ねじ切り開けキャップが未開封の時はキャップの接続部分であり、ねじ切り開けられ二分された時は、容器側に残された輪形状部の、切断された個所に変化する部分
３    容器本体の部分
３ａ  ねじ切り開けキャップをねじ切って二分されて容器側に残された、輪形状部分が落下して容器の縁で受け止められる部分
３ｂ  ねじ切り開けキャップが未開封の時に見えず、開封した時に現れる容器の部分
３ｃ  容器本体を傾けた時にねじ切られ二分されたキャップの輪形状部が、脱落しない様に受け止める容器の縁の部分
３ｄ  未開封状態の時に見える容器本体の部分であり、開封後はキャップの一部の輪形状部が止まる個所でもある部分
３ｅ  容器本体側のキャップが開け閉めされるためにあるねじ山の部分
【図１】
2007039123.tif 000003
【図２】
2007039123.tif 000004
【図３】
2007039123.tif 000005
【図４】
2007039123.tif 000006